(57)【要約】【課題】レペティションスプリングのレバー付勢部およびジャック付勢部のばね力のバランスを、容易かつ精度良く調整することができるグランドピアノのアクションを提供する。【解決手段】押鍵された鍵２で突き上げられることで回動するウィッペン３と、ウィッペン３の回動に伴い、ハンマー１４を押し上げ、回動させるレペティションレバー５と、ウィッペン３に回動自在に取り付けられ、ウィッペン３の回動の途中からハンマー１４を突き上げ、回動させるジャック６と、線材によって構成され、支点部７ａと、支点部７ａから互いに異なる方向に延び、レペティションレバー５およびジャック６を復帰方向にそれぞれ付勢するためのレバー付勢部７ｂおよびジャック付勢部７ｃとを有するレペティションスプリング７と、ウィッペン３に設けられ、レペティションスプリング７の支点部７ａを互いに異なる複数の位置で支持可能な円盤３１と、を備えている。【選択図】    図１
2004184438.tif 000002
【特許請求の範囲】
【請求項１】
鍵の押鍵に伴って作動し、ハンマーを回動させることによって、打弦を行わせるグランドピアノのアクションであって、
後端部を中心として回動自在に設けられ、押鍵された前記鍵で突き上げられることにより上方に回動するウィッペンと、
このウィッペンに揺動自在に取り付けられ、当該ウィッペンの回動に伴い、前記ハンマーを押し上げ、上方に回動させるレペティションレバーと、
前記ウィッペンに回動自在に取り付けられ、前記ウィッペンの回動の途中から前記ハンマーを突き上げ、上方に回動させるジャックと、
線材によって構成され、支点部と、この支点部から互いに異なる方向に延び、前記レペティションレバーおよび前記ジャックを復帰方向にそれぞれ付勢するためのレバー付勢部およびジャック付勢部とを有するレペティションスプリングと、
前記ウィッペンに設けられ、前記レペティションスプリングの前記支点部を互いに異なる複数の位置で支持可能なレペティションスプリング支持手段と、
を備えていることを特徴とするグランドピアノのアクション。
【請求項２】
前記レペティションスプリング支持手段は、
前記支点部を支持する支持部を有するとともに、前記ウィッペンに移動自在に取り付けられた可動部材と、
当該移動した可動部材を互いに異なる複数の位置で固定するための固定手段と、
を有していることを特徴とする請求項１に記載のグランドピアノのアクション。
【請求項３】
前記可動部材は、前記ウィッペンに、左右方向に延びる軸線を中心に回動自在に取り付けられ、当該軸線以外の位置に前記支持部を有する円盤状の回動部材で構成されていることを特徴とする請求項２に記載のグランドピアノのアクション。
【請求項４】
前記ウィッペンには、前記軸線から所定距離離れた位置に、左右方向に延びる貫通孔が形成され、
前記回動部材には、前記軸線を中心としかつ前記所定距離を半径とする円周上に配置された複数の係止孔が形成されており、
前記固定手段は、前記貫通孔と前記複数の係止孔の１つが互いに合致した状態で、これらに挿入されることにより、前記回動部材を固定する固定ピンを有していることを特徴とする請求項３に記載のグランドピアノのアクション。
【発明の詳細な説明】
【０００１】
【発明の属する技術分野】
本発明は、グランドピアノのアクションに関し、特にレペティションレバーおよびジャックをそれぞれ復帰方向に付勢するレペティションスプリングの調整に関する。
【０００２】
【従来の技術】
グランドピアノのアクションは、押鍵に伴って作動し、ハンマーを回動させ、打弦を行わせるものである。図４および図５は、一般的なアクションの一例を、離鍵状態において示しており、以下、その構成および動作を概略的に説明する。
【０００３】
アクション１は、後端部を中心に回動自在で、鍵２の後部に載置されたウィッペン３と、このウィッペン３の中央部に立設されたレバーサポート４に回動自在に取り付けられたレペティションレバー５と、ウィッペン３の前端部に回動自在に取り付けられたジャック６とを備えている。また、アクション１は、レペティションレバー５およびジャック６をそれぞれ復帰方向（図４の反時計方向）に付勢するレペティションスプリング７と、両者５、６の回動をそれぞれ規制するレペティションスクリュー８およびレギュレーティングボタン９と、ジャック６の角度位置を調整するためのジャックボタンスクリュー１０と、その先端部のジャックボタン１１と、離鍵状態でこのジャックボタン１１が当接するスプーン１２などを有している。
【０００４】
レペティションレバー５には、上下方向に貫通するジャック案内孔５ａが形成されており、このジャック案内孔５ａの付近に、シャンクローラ１３を介してハンマー１４が載置されている。一方、ジャック６は、Ｌ字状に形成されており、上下方向に延びるハンマー突上げ部６ａの先端部が、レペティションレバー５のジャック案内孔５ａに、これに沿って移動自在に係合するとともに、シャンクローラ１３と微小な間隔を存して対向している。
【０００５】
また、これらのレペティションレバー５およびジャック６を復帰方向に付勢するレペティションスプリング７は、例えばピアノ線からなる１本の線材を所定の形状に曲げ加工することによって形成されている。具体的には、図４（ｂ）に示すように、中間部でカールした支点部７ａと、この支点部７ａから上側のレペティションレバー５および下側のジャック６へそれぞれ延びるレバー付勢部７ｂおよびジャック付勢部７ｃとを有している。このレペティションスプリング７は、支点部７ａを介して、レバーサポート４のほぼ中央部に固定されている。
【０００６】
以上のような離鍵状態から、鍵２が押鍵されると、ウィッペン３が突き上げられることにより、レペティションレバー５およびジャック６がウィッペン３と一緒に上方に回動する。これらの回動に伴い、まず、レペティションレバー５が、シャンクローラ１３を摺動させながら、これを介してハンマー１４を押し上げ、上方に回動させる。次いで、レペティションレバー５がレペティションスクリュー８に係合することにより、ジャック６がシャンクローラ１３を介してハンマー１４を突き上げる。その後、ハンマー１４が、上方に張られた弦（図示せず）を打弦する直前まで回動した時点で、ジャック６が、レギュレーティングボタン９に係合することによって、シャンクローラ１３から抜ける。これにより、ハンマー１４は、アクション１および鍵２との連結を解かれ、自由回動状態で弦を打弦する。
【０００７】
その後、鍵２が離鍵され、鍵盤深さの１／３程度まで戻されたタイミングで、レペティションレバー５が作動し始め、レペティションスプリング７のばね力で反時計方向に復帰回動することによって、シャンクローラ１３を摺動させながら押し上げる。またこの場合、ジャック６は、レペティションスプリング７のばね力で反時計方向に復帰回動し、もとの位置に戻ることによって、すなわちハンマー突上げ部６ａの先端部がシャンクローラ１３の下側に位置することによって、鍵２が完全に戻らなくても、次の打弦が行えるようになる。
【０００８】
以上のように、レペティションレバー５、ジャック６およびレペティションスプリング７により、トリルのように連続して同じ鍵２を叩く奏法を行うことが可能になる。このような奏法を可能とするアクション１では、レペティションスプリング７のレバー付勢部７ｂおよびジャック付勢部７ｃのばね力がそれぞれ適切な大きさに設定されることに加えて、両付勢部７ｂ、７ｃのばね力のバランスも適切であることが必要である。
【０００９】
例えば、レバー付勢部７ｂのばね力が強すぎると、レペティションレバー５を復帰方向に付勢する力が強いために、打鍵時の動作がスムーズに行えず、加えて、離鍵時に、レペティションレバー５がシャンクローラ１３を強く跳ね返すことで、打弦後のハンマー１４を再度、打弦させるおそれもある。逆に、レバー付勢部７ｂのばね力が弱すぎると、レペティションレバー５が、もとの位置に戻りにくくなり、次の打弦に速やかに移行することができなくなるなど、アクションとしての機能を十分に果たせなくなってしまう。一方、ジャック付勢部７ｃのばね力が強すぎると、ジャック６を復帰方向に付勢する力が強いために、やはり打鍵時の動作がスムーズに行えず、加えて、ジャックボタン１１がスプーン１２に当たったときの感触が、鍵２を介して演奏者に伝わってしまうこともある。逆に、ジャック付勢部７ｃのばね力が弱すぎると、ジャック６がもとの位置に戻りにくくなることで、打鍵時の連打性能が低下してしまうなど、やはりアクションとしての機能を十分に果たせなくなってしまう。
【００１０】
以上のように、アクション１にとっては、レペティションスプリング７のレバー付勢部７ｂおよびジャック付勢部７ｃのそれぞれのばね力、特にそのバランスが非常に重要であり、そのため、レペティションスプリング７のばね力の調整を行うのが一般的となっている。この調整が可能なアクションとして、特許文献１や特許文献２などが知られている。これらの特許文献のアクションでは、レペティションレバー４に螺合した調整ねじに、レペティションスプリング７のレバー付勢部７ｂの先端部が係合している。そして、調整ねじを所定方向に回すことで、レバー付勢部７ｂの先端部をばね力に抗して押し下げ、これにより、レペティションスプリング７のばね力が強くなるように調整を行う一方、調整ねじを逆方向に回すことで、そのばね力が弱くなるように調整を行っている。
【００１１】
【特許文献１】
実公昭６３−２１０２８号公報
【特許文献２】
実公昭６３−２１０２９号公報
【００１２】
【発明が解決しようとする課題】
上記特許文献１、２のアクションでは、レペティションスプリング７全体のばね力を強くしたり、弱くしたりする調整を行うことは可能である。しかし、レペティションスプリング７のレバー付勢部７ｂおよびジャック付勢部７ｃの一方のばね力を強く、他方のばね力を弱くするような調整を行うことができない。つまり、レバー付勢部７ｂとジャック付勢部７ｃのばね力のバランスを適切に調整することができず、そのため、両付勢部７ｂ、７ｃのばね力のバランスが不適切である場合には、上述した種々の不具合が生じてしまう。
【００１３】
本発明は、以上のような課題を解決するためになされたものであり、レペティションスプリングのレバー付勢部およびジャック付勢部のばね力のバランスを、容易にかつ精度良く調整することができるグランドピアノのアクションを提供することを目的とする。
【００１４】
【課題を解決するための手段】
本発明の請求項１に係るグランドピアノのアクションは、鍵の押鍵に伴って作動し、ハンマーを回動させることによって、打弦を行わせるグランドピアノのアクションであって、後端部を中心として回動自在に設けられ、押鍵された鍵で突き上げられることにより上方に回動するウィッペンと、このウィッペンに揺動自在に取り付けられ、ウィッペンの回動に伴い、ハンマーを押し上げ、上方に回動させるレペティションレバーと、ウィッペンに回動自在に取り付けられ、ウィッペンの回動の途中からハンマーを突き上げ、上方に回動させるジャックと、線材によって構成され、支点部と、この支点部から互いに異なる方向に延び、レペティションレバーおよびジャックを復帰方向にそれぞれ付勢するためのレバー付勢部およびジャック付勢部とを有するレペティションスプリングと、ウィッペンに設けられ、レペティションスプリングの支点部を互いに異なる複数の位置で支持可能なレペティションスプリング支持手段と、を備えていることを特徴とする。
【００１５】
この構成によれば、レペティションスプリング支持手段により、レペティションスプリングの支点部を互いに異なる複数の位置で支持できるので、その支点部を、レバー付勢部のばね力に抗し且つジャック付勢部のばね力に従う方向に移動させることにより、支点部の移動前よりも、レバー付勢部のばね力が強くなるとともに、ジャック付勢部のばね力が弱くなる。逆に、レペティションスプリングの支点部を、レバー付勢部のばね力に従い且つジャック付勢部のばね力に抗する方向に移動させることにより、支点部の移動前よりも、レバー付勢部のばね力が弱くなるとともに、ジャック付勢部のばね力が強くなる。このように、上記構成によれば、レペティションスプリングの支点部を所定の方向に移動させ、その位置調整を行うことにより、レペティションスプリングのレバー付勢部およびジャック付勢部の一方のばね力を強く、他方のばね力を弱くできるので、両付勢部のばね力のバランスを容易にかつ精度良く調整することができる。
【００１６】
本発明の請求項２に係る発明は、請求項１のグランドピアノのアクションにおいて、レペティションスプリング支持手段は、支点部を支持する支持部を有するとともに、ウィッペンに移動自在に取り付けられた可動部材と、移動した可動部材を互いに異なる複数の位置で固定するための固定手段と、を有していることを特徴とする。
【００１７】
この構成によれば、可動部材を移動させることにより、これに設けられ且つレペティションスプリングの支点部を支持する支持部も移動する。そして、移動した可動部材が、固定手段により、互いに異なる複数の位置のいずれかに固定される。このように、可動部材を移動させ、所定の位置に固定することにより、レペティションスプリングの支点部の位置調整を簡単に行うことができる。
【００１８】
本発明の請求項３に係る発明は、請求項２のグランドピアノのアクションにおいて、可動部材は、ウィッペンに、左右方向に延びる軸線を中心に回動自在に取り付けられ、軸線以外の位置に支持部を有する円盤状の回動部材で構成されていることを特徴とする。
【００１９】
この構成によれば、可動部材が上記のような回動部材で構成されているので、その回動部材を回動させるだけで、レペティションスプリングの支点部を簡単に移動させることができる。また、可動部材を円盤状の回転部材で構成することにより、可動部材を直線的に移動するように構成する場合に比べて、構造の単純化および省スペース化を図ることができる。
【００２０】
本発明の請求項４に係る発明は、請求項３のグランドピアノのアクションにおいて、ウィッペンには、軸線から所定距離離れた位置に、左右方向に延びる貫通孔が形成され、回動部材には、軸線を中心としかつ所定距離を半径とする円周上に配置された複数の係止孔が形成されており、固定手段は、貫通孔と複数の係止孔の１つが互いに合致した状態で、これらに挿入されることにより、回動部材を固定する固定ピンを有していることを特徴とする。
【００２１】
この構成によれば、レペティションスプリングのレバー付勢部およびジャック付勢部のばね力のバランス調整を行う場合に、まず、回動部材を回動させ、複数の係止孔の１つをウィッペンの貫通孔に合致させる。次いで、この合致させた状態を保ちながら、互いに合致した貫通孔および係止孔に、固定ピンを挿入する。これにより、回動部材がウィッペンに対して固定され、これに伴い、レペティションスプリングの支点部も固定される。このように、上記構成によれば、回動部材を回動させ、固定ピンを、貫通孔および係止孔に挿入するだけで、支点部の位置調整を簡単に行うことができ、これにより、レバー付勢部およびジャック付勢部のばね力のバランス調整も簡単に行うことができる。
【００２２】
【発明の実施の形態】
以下、図面を参照しながら、本発明の好ましい実施形態を詳細に説明する。図１は、本発明の一実施形態によるグランドピアノのアクションを示している。同図に示すように、このアクション１は、すでに概説した従来のアクションと比較して、レペティションスプリング７の支点部７ａの支持構造のみが異なるので、同じ構成の部品については、同じ符号を用いて説明を行う。また、演奏者から見て手前側（図１の右側）を「前」、奥側（図１の左側）を「後」として、説明を行うものとする。
【００２３】
図１に示すように、アクション１は、鍵２を載置する筬（図示せず）の左右端部にそれぞれ設けたブラケット２１（図１に一方のみ図示）に取り付けられている。左右のブラケット２１、２１間には、ウィッペンレール２２およびハンマーシャンクレール２３が渡されており、このウィッペンレール２２にねじ止めした各ウィッペンフレンジ２４に、ウィッペン３の後端部が回動自在に取り付けられている。
【００２４】
各ウィッペン３は、前後方向に延び、その中央部に立設されたレバーサポート４を有している。このレバーサポート４は、図２（ｂ）に示すように、互いに左右方向に所定間隔を隔てて配置されたサポート本体部４ａ、４ａで構成されている。これらのサポート本体部４ａ、４ａ間の下部には、左右方向に延びる回動軸４ｂ（軸線）を介して、後述する円盤３１が回動自在に取り付けられている。また、両サポート本体部４ａ、４ａの回転軸４ｂよりも所定距離、上方の位置には、左右方向に延びかつ所定の直径を有する貫通孔４ｃがそれぞれ形成されている。さらに、両サポート本体部４ａ、４ａ間の上端部には、左右方向に延びる回動軸４ｄを介して、レペティションレバー５が回動自在に連結されている。このように構成されたウィッペン３は、対応する鍵２の上面後部に設けられたキャプスタンボタン２５に、ウィッペンヒール２６を介して載っている。なお、ウィッペン３のレバーサポート４の下方には、後述する円盤３１が干渉しないように、凹部３ａが形成されている。
【００２５】
レペティションレバー５は、断面が矩形状で、斜め前上がりに前後方向に延びており、そのほぼ中央部で、上記回動軸４ｄを介して、ウィッペン３のレバーサポート４に回動自在に連結されている。レペティションレバー５の後端部には、レバースクリュー２７が上下方向に貫通した状態で進退自在に螺合しており、その下端部にレバーボタン２８が一体に設けられている。また、レペティションレバー５の前部の所定位置には、上下方向に貫通するジャック案内孔５ａが形成されている。さらに、レペティションレバー５の上面のジャック案内孔５ａよりも前側には、レバースキン２９が貼り付けられている。そして、このように構成されたレペティションレバー５は、レペティションスプリング７によって、復帰方向（図１の反時計方向）に付勢されている。
【００２６】
ジャック６は、上下方向に延びる断面矩形のハンマー突き上げ部６ａと、その下端部から前方にほぼ直角に延びるレギュレーティングボタン当接部６ｂとで、Ｌ字状に形成されており、その角部においてウィッペン３の前端部に回動自在に連結されている。ハンマー突き上げ部６ａの上端部は、レペティションレバー５のジャック案内孔５ａに、前後方向に移動自在に係合している。また、ハンマー突き上げ部６ａの中間部には、ジャック６の角度位置を調整するためのジャックボタンスクリュー１０が、前後方向に貫通した状態で進退自在に螺合している。ジャックボタンスクリュー１０の先端部には、ジャックボタン１１が一体に設けられており、このジャックボタン１１は離鍵状態では、ウィッペン３に立設されたスプーン１２に当接している。そして、このように構成されたジャック６は、レペティションスプリング７によって、復帰方向（図１の反時計方向）に付勢されている。
【００２７】
図２は、レペティションスプリング７、およびこのレペティションスプリング７を支持するとともに、その支点部７ａの位置を調整するための円盤３１（レペティションスプリング支持手段、可動部材、回動部材）を示している。レペティションスプリング７は、従来と同様に、ピアノ線などの線材からなり、支点部７ａ、レバー付勢部７ｂおよびジャック付勢部７ｃを有している。支点部７ａは、円盤３１の後述する支持部３２ｃに挿入された状態で、これに取り付けられている。また、レバー付勢部７ｂは、その先端部がレペティションレバー５の底面に係合し、レペティションレバー５を復帰方向に回動するように付勢している。一方、ジャック付勢部７ｃは、その先端部がジャック６の角部に係合し、ジャック６を復帰方向に回動するように付勢している。
【００２８】
また、円盤３１は、２つの円形ケース３２、３３が互いに嵌合することによって構成されている。これらの円形ケース３２、３３は、互いにほぼ左右対称に構成されており、左側の円形ケース３２が、右側の円形ケース３３よりも一回り大きく形成されている。
【００２９】
具体的には、両円形ケース３２、３３は、一方の側壁（以下「円形側壁」という）３２ａ、３３ａがそれぞれ所定の直径を有する円形に形成されるとともに、他方の側壁が省略されている。また、両円形ケース３２、３３の円形側壁３２ａ、３３ａにはそれぞれ、所定長さ突出しかつ周縁部に沿って半円状に延びる円弧縁部３２ｂ、３３ｂが設けられている。さらに、両円形ケース３２、３３の円形側壁３２ａ、３３ａの中心部には、上記回動軸４ｂが挿通されるとともに、その回動軸４ｂから所定距離離れた位置、具体的には、レバーサポート４における回動軸４ｂと貫通孔４ｃとの間の距離を半径とする円周上の位置に、互いに所定の等角度ごとに複数（本実施形態では８個）の係止孔３１ａが形成されている。また、左側の円形ケース３２の円形側壁３２ａには、円弧縁部３２ｂの反対側の周縁部付近に、所定長さ突出した突出部３２ｃ（支持部）が一体に設けられている。
【００３０】
以上のように構成された両円形ケース３２、３３による円盤３１は、上記突出部３２ｃにレペティションスプリング７の支点部７ａを挿入してから、図２に示すように、両円形ケース３２、３３を互いに嵌合させることによって構成される。また、このように構成された円盤３１では、円形側壁３２ａ、３３ａ同士が所定距離、離れた状態で対向するとともに、円弧縁部３２ｂ、３３ｂ同士が重なっている。これにより、これら円弧縁部３２ｂ、３３ｂ同士の重なり部分の反対側には、開口３１ｂが形成される。したがって、円盤３１では、レペティションスプリング７の支点部７ａが、開口３１ｂを介して円盤３１内に臨むように取り付けられている。
【００３１】
また、この円盤３１は、通常、所定の標準位置、例えば図２に示すように、レペティションスプリング７の支点部７ａが、回動軸４ｂとほぼ同じ高さに位置するように、レバーサポート４に固定されている。具体的には、円盤３１を標準位置に位置させかつレバーサポート４の貫通孔４ｃ、４ｃと円盤３１の所定の係止孔３１ａを合致させ、これらの貫通孔４ｃ、４ｃおよび係止孔３１ａに、所定の長さおよび直径を有する丸棒の固定ピン３４（固定手段）を挿入する。これにより、円盤３１は標準位置に固定される。
【００３２】
ここで、以上のように構成されたアクション１において、レペティションスプリング７のばね力の調整方法、より具体的には、レペティションスプリング７のレバー付勢部７ｂおよびジャック付勢部７ｃのばね力のバランスの調整方法について説明する。なお、調整前においては、円盤３１は、上記標準位置に位置しているものとする。
【００３３】
例えば、レペティションスプリング７のレバー付勢部７ｂのばね力を強く、ジャック付勢部７ｃのばね力を弱くするように、ばね力のバランスを調整する場合には、まず、標準位置の円盤３１から、固定ピン３４を引き抜いた後、円盤３１を、所定角度範囲（例えば９０度）内で、図１および図２（ａ）の反時計方向に回す。そして、円盤３１の係止孔３１ａの１つを、レバーサポート４の貫通孔４ｃ、４ｃに合致させ、これらの係止孔３１ａおよび貫通孔４ｃ、４ｃに固定ピン３４を挿入する。これにより、レペティションスプリング７の支点部７ａは、標準位置よりも上位に位置することになり、したがって、レバー付勢部７ｂのばね力が強く、ジャック付勢部７ｃのばね力が弱くなるように、レペティションスプリング７のばね力のバランスが調整される。
【００３４】
これとは逆のバランス調整を行う場合には、標準位置の円盤３１を、所定角度範囲（例えば９０度）内で、図１および図２（ａ）の時計方向に回し、係止孔３１ａの１つを、貫通孔４ｃ、４ｃに合致させ、これらに固定ピン３４を挿入する。これにより、レペティションスプリング７の支点部７ａは、標準位置よりも下位に位置することになり、したがって、レバー付勢部７ｂのばね力が弱く、ジャック付勢部７ｃのばね力が強くなるように、レペティションスプリング７のばね力のバランスが調整される。
【００３５】
以上のように構成されたアクション１の上方に、ハンマー１４が設けられている。ハンマー１４は、前後方向に延びるハンマーシャンク４１と、その先端に取り付けられたハンマーヘッド４２で構成されている。また、このハンマー１４は、ハンマーシャンク４１の基端部において、ハンマーシャンクレール２３にねじ止めされたハンマーシャンクフレンジ４３に、回動自在に取り付けられている。シャンクローラ１３は、例えば、内側のクロス、およびその外側に巻いたスキンで円柱状に形成されており、ハンマーシャンク４１の下面前部の所定位置に取り付けられている。また、このシャンクローラ１３は、レペティションレバー５の上面のジャック案内孔５ａ付近に、これをまたいだ状態で載置されている。ハンマーシャンクフレンジ４３の下面には、レペティションレバー５の上方への回動を規制するレペティションスクリュー８が進退自在に螺合し、レバースキン２９を貼り付けたレペティションレバー５の前端部と所定の間隔をもって対向している。
【００３６】
ハンマーシャンクレール２３の下面には、レギュレーティングレール４４がねじ止めされており、このレギュレーティングレール４４の下面に、ジャック６の上方への回動を規制するレギュレーティングボタン９が進退自在に螺合しており、ジャック６のレギュレーティングボタン当接部６ｂの前端部と所定の間隔をもって対向している。
【００３７】
以上のように構成されたアクション１の動作は、図４および図５の従来のアクションとほぼ同様なので、離鍵時の動作のみを簡潔に述べる。まず、鍵２が離鍵され、鍵盤深さの１／３程度まで戻されたタイミングで、レペティションレバー５が作動し始める。そして、このレペティションレバー５は、レペティションスプリング７のばね力で反時計方向に復帰回動することによって、シャンクローラ１３を摺動させながらこれを押し上げる。またこの場合、ジャック６は、レペティションスプリング７のばね力で反時計方向に復帰回動し、もとの位置に戻る。これにより、鍵２が完全に戻らなくても、次の打弦が確実に行えるようになる。
【００３８】
以上詳述したように、本実施形態によれば、レペティションスプリング７の支点部７ａを所定の方向に移動させ、その位置調整を行うことにより、レペティションスプリングのレバー付勢部７ｂおよびジャック付勢部７ｃの一方のばね力を強く、他方のばね力を弱くできるので、両付勢部７ｂ、７ｃのばね力のバランスを、容易に調整することができる。また、このバランス調整では、円盤３１を回動させることで、支点部７ａを上下方向に微小長さごとに移動させることができるので、レバー付勢部７ｂおよびジャック付勢部７ｃのばね力のバランスを、精度良くかつきめ細かく調整することができる。
【００３９】
図３（ａ）は、本発明の第２実施形態によるアクションを含む鍵装置を示している。本実施形態は、上記第１実施形態の円盤３１に代えて、レバーサポート４に沿って上下方向に移動自在のスライダ５１を採用したものであり、その他の部分は、第１実施形態と同様である。したがって、以下の説明では、スライダ５１の構造のみを簡単に説明する。
【００４０】
このスライダ５１は、図３（ｂ）に拡大して示すように、上下方向に所定長さ延びる位置決め部５２と、この位置決め部５２から前方に突出し、レペティションスプリング７の支点部７ａを支持する支持部５３と、位置決め部５２から後方に突出し、レペティションスプリング７の調整時に作業者がスライダ５１を摘むための摘み部５４とで、側面形状がほぼ十字状に形成されている。このスライダ５１は、レバーサポート４に上下方向に移動自在に取り付けられている。
【００４１】
スライダ５１の位置決め部５２には、互いに上下方向に所定の間隔ごとに配置された複数（本実施形態では７個）の係止孔５２ａが形成されている。また、支持部５３には、右方に所定長さ突出した突出部５３ａ（支持部）が一体に設けられており、この突出部５３ａに、レペティションスプリング７の支点部７ａが挿入された状態で、取り付けられている。
【００４２】
このように構成されたスライダ５１によって、レペティションスプリング７のばね力を調整する場合には、スライダ５１の摘み部５４を摘んだ状態で、スライダ５１を上下方向に移動させる。これに伴い、レペティションスプリング７の支点部７ａも上下方向に移動する。そして、スライダ５１の係止孔５２ａの一つを、レバーサポート４の貫通孔４ｃに合致させ、これらの係止孔５２ａおよび貫通孔４ｃ、４ｃに固定ピン３４を挿入する。このように、レペティションスプリング７の支点部７ａを上下方向に移動させることにより、上記第１実施形態と同様に、レバー付勢部７ｂおよびジャック付勢部７ｃのばね力のバランスを、容易に調整することができる。
【００４３】
なお、本発明は、説明した上記実施形態に限定されることなく、種々の態様で実施することができる。例えば、実施形態では、レペティションスプリング７の支点部７ａを移動させるための可動部材として、円盤３１およびスライダ５１を用いたが、可動部材はこれらに限定されるものではなく、レペティションスプリング７の支点部７ａの位置を変えることで、レバー付勢部７ａおよびジャック付勢部７ｂのばね力のバランスが調整可能なものであれば、可動部材の構造や形状がどのようなものであってもよい。また、円盤３１およびスライダ５１をレバーサポート４に固定する固定手段として、固定ピン３４を用いたが、固定手段はこれに限定されるものではなく、円盤３１あるいはスライダ５１を動かした後に、それを固定できるものであれば、どのような固定手段を採用してもよい。
【００４４】
また、上記各実施形態では、レペティションスプリング７の支点部７ａを支持するための突出部３２ｃ、５３ａを、円盤３１やスライダ５１と一体に設けたが、これらの突出部３２ｃ、５３ａを金属製ピンで構成し、円盤３１やスライダ５１の所定位置に取り付けるようにしてもよい。
【００４５】
さらに、上記円盤３１やスライダ５１を省略し、レペティションスプリング７の支点部７ａをウィッペン３で直接支持するようにしてもよい。具体的には、例えば、ウィッペン３の中央部に立設したレバーサポート４に、互いに上下方向に並んだ複数の貫通孔を形成し、それらの貫通孔の１つにレペティションスプリング７の支点部７ａを合致させ、互いに合致した貫通孔および支点部７ａに固定ピンを挿入する。この場合には、円盤３１やスライダ５１を省略できる分、アクション１を構成する部品点数を少なくすることができる。
【００４６】
また、実施形態で示したアクション１の細部の構成などは、あくまで例示であり、本発明の趣旨の範囲内で適宜、変更することができる。
【００４７】
【発明の効果】
以上詳述したように、本発明のグランドピアノのアクションは、レペティションスプリングのレバー付勢部およびジャック付勢部のばね力のバランスを、容易かつ精度良く調整することができるなどの効果を有する。
【図面の簡単な説明】
【図１】本発明の第１実施形態によるグランドピアノのアクションを含む鍵装置の側面図である。
【図２】（ａ）は、図１のアクションのレペティションスプリング、およびその支点部を支持する円盤を示す拡大図であり、（ｂ）は（ａ）のＡ−Ａ線断面図である。
【図３】（ａ）は、本発明の第２実施形態によるグランドピアノのアクションを含む鍵装置の側面図であり、（ｂ）は、レペティションスプリングの支点部を支持するスライダを示す拡大図である。
【図４】（ａ）は、従来のグランドピアノのアクションを含む鍵装置の側面図であり、（ｂ）は、レペティションスプリングを示す側面図である。
【図５】図４のアクションおよびハンマーの分解斜視図である。
【符号の説明】
１      アクション
２      鍵
３      ウィッペン
４      レバーサポート
４ｂ    回動軸（軸線）
４ｃ    貫通孔
５      レペティションレバー
６      ジャック
７      レペティションスプリング
７ａ    支点部
７ｂ    レバー付勢部
７ｃ    ジャック付勢部
３１    円盤（レペティションスプリング支持手段、可動部材、回動部材）
３１ａ  係止孔
３２ｃ  突出部（支持部）
３４    固定ピン（固定手段）
５１    スライダ（レペティションスプリング支持手段、可動部材）
５２ａ  係止孔
５３ａ  突出部（支持部）
【図１】
2004184438.tif 000003
【図２】
2004184438.tif 000004
【図３】
2004184438.tif 000005
【図４】
2004184438.tif 000006
【図５】
2004184438.tif 000007